(57)【要約】【課題】対向機器に適合した給電電流で対向機器に給電できる携帯端末機器及び給電方法を提供する。【解決手段】ＵＳＢコネクタ３により、対向機器とＵＳＢケーブルを介して接続し、制御部２により、対向機器と接続されたＵＳＢコネクタ３の電力の供給に関連する第１の信号に基づいて対向機器に給電機能がないと判断した場合、ＵＳＢケーブルの第１の信号の送信される信号線と異なる信号線を介して送信され、ＵＳＢコネクタ３の対向機器の識別に関連する第２の信号に基づいて対向機器がＵＳＢ通信機能を持つか否かを判断し、この判断結果に基づいて対向機器の種別を同定し、この同定した種別の対向機器に応じた上限値の給電電流によって対向機器に給電する。【選択図】      図1
2014102693.tif 000002
【特許請求の範囲】
【請求項１】
対向機器とＵＳＢ（Ｕｎｉｖｅｒｓａｌ  Ｓｅｒｉａｌ  Ｂｕｓ）ケーブルを介して接続するＵＳＢコネクタと、
前記対向機器と接続された前記ＵＳＢコネクタの電力の供給に関連する第１の信号に基づいて前記対向機器に給電機能がないと判断した場合、前記ＵＳＢケーブルの前記第１の信号の送信される信号線と異なる信号線を介して送信され、前記ＵＳＢコネクタの前記対向機器の識別に関連する第２の信号に基づいて前記対向機器がＵＳＢ通信機能を持つか否かを判断し、この判断結果に基づいて前記対向機器の種別を同定し、この同定した種別の前記対向機器に応じた上限値の給電電流によって前記対向機器に給電する制御部と、
を備えたことを特徴とする携帯端末機器。
【請求項２】
前記制御部は、
前記第１の信号が所定のＬｏｗレベルの場合、対向機器が電力の供給が可能又は不能な機器であることを示す供給可否通知信号を、対向機器が電力の供給が不能な機器であることを示すＬｏｗレベルにして出力し、この出力に対応して給電を指示する給電指示信号と給電電流の前記上限値を受け、所定のＨｉｇｈレベルの前記第１の信号を作成し、この作成した前記第１の信号を前記上限値の給電電流で前記ＵＳＢコネクタに出力して前記対向機器に給電する第１の制御部と、
Ｌｏｗレベルの前記供給可否通知信号を受けて前記対向機器に給電機能がないと判断し、前記第１の制御部に前記給電指示信号を出力するとともに、前記第２の信号の状態に基づいて前記対向機器がＵＳＢ通信機能を持つか否かを判断し、この判断結果に基づいて給電電流の前記上限値を定めこの定めた前記上限値を前記第１の制御部に出力する第２の制御部と、
を備えたことを特徴とする請求項１記載の携帯端末機器。
【請求項３】
前記第１の制御部は、前記対向機器に給電しているとき、給電電流が所定時間、所定値より高い場合給電を停止する、ことを特徴とする請求項２記載の携帯端末機器。
【請求項４】
自身の携帯端末機器の電源である電池を更に有し、
前記第１の制御部は、前記対向機器に給電しているとき、前記電池の残量が所定値より低くなった場合給電を停止する、ことを特徴とする請求項２又は３記載の携帯端末機器。
【請求項５】
前記第１の制御部は、前記第１の信号を、前記ＵＳＢコネクタを介して受け、この第１の信号が所定のＬｏｗレベルの場合、前記供給可否通知信号をＬｏｗレベルにして前記第２の制御部に出力し、この第１の信号が所定のＨｉｇｈレベルの場合、前記供給可否通知信号を、対向機器が電力の供給が可能な機器であることを示すＨｉｇｈレベルにして前記第２の制御部に出力し、前記第２の制御部から、充電指示信号を受け、対向機器からＶＢＵＳ端子に供給されたＨｉｇｈレベルのＶＢＵＳ信号により、前記電池を充電する充電部と、
前記第２の制御部から、充電部が出力したＬｏｗレベルの前記供給可否通知信号に対応して給電を指示する給電指示信号と給電電流の前記上限値を受け、所定のＨｉｇｈレベルの前記第１の信号を作成し、この作成した前記第１の信号を前記上限値の給電電流で前記ＵＳＢコネクタに出力して前記対向機器に給電する給電部と、
を備えたことを特徴とする請求項４記載の携帯端末機器。
【請求項６】
前記給電部は、前記充電部が受けた前記電池電圧（ＶＢＡＴ）に基づいて作成したシステム電圧（ＶＳＹＳ）を昇圧して、所定のＨｉｇｈレベルの前記第１の信号を作成する、ことを特徴とする請求項５記載の携帯端末機器。
【請求項７】
前記給電部は、前記対向機器に給電しているとき、給電電流が所定時間、所定値より高い場合給電を停止する、ことを特徴とする請求項５又は６記載の携帯端末機器。
【請求項８】
前記給電部は、前記対向機器に給電しているとき、前記電池残量が所定値より低くなった場合給電を停止する、ことを特徴とする請求項５、６又は７記載の携帯端末機器。
【請求項９】
前記第２の制御部は、前記第２の信号が所定のＬｏｗレベルの場合、５００ｍＡを給電電流の前記上限値と定め、前記第２の信号が所定のＨｉｇｈレベルの場合、１５００ｍＡを給電電流の前記上限値と定める、ことを特徴とする請求項２から８のいずれか一項に記載の携帯端末機器。
【請求項１０】
ＵＳＢケーブルにより対向機器と接続されたＵＳＢコネクタの電力の供給に関連する第１の信号に基づいて前記対向機器に給電機能がないと判断した場合、前記ＵＳＢケーブルの前記第１の信号の送信される信号線と異なる信号線を介して送信され、前記ＵＳＢコネクタの前記対向機器の識別に関連する第２の信号に基づいて前記対向機器がＵＳＢ通信機能を持つか否かを判断し、
この判断結果に基づいて前記対向機器の種別を同定し、
この同定した種別の前記対向機器に応じた上限値の給電電流によって前記対向機器に給電する、ことを特徴とする給電方法。
【発明の詳細な説明】
【技術分野】
【０００１】
本発明は、携帯端末機器及び給電方法に関し、データ処理方式を切り替える際に、装置の規模や消費電力が節約できる携帯端末機器及び給電方法に関する。
【背景技術】
【０００２】
携帯電話等の携帯端末機器は、自身の有する電池を充電するためのインタフェースとしてＵＳＢ（Ｕｎｉｖｅｒｓａｌ  Ｓｅｒｉａｌ  Ｂｕｓ：ホスト機器と周辺機器を接続するシリアルバスの規格）を使用していることが多い。そして、携帯端末機器の使用しているこのＵＳＢインタフェースは充電専用のものが多い。しかし、この携帯端末機器は、ＵＳＢインタフェースがＵＳＢ通信機能を備えている場合でも、通常、ＵＳＢインタフェースを有するＵＳＢメモリ、ＵＳＢキーボード、ＵＳＢマウス等の周辺機器と同様に給電機能を備えていないＵＳＢデバイスとして動作する。このため、この携帯端末機器にＵＳＢマウス等の周辺機器を接続しても、携帯端末機器からこの周辺機器にＵＳＢインタフェースを介して電力を供給できないのでこの周辺機器を使用することができないという問題があった。
【０００３】
この問題を解決する技術として、携帯端末機器から周辺機器にＵＳＢインタフェースを介して電力を供給できるようにした技術が特許文献１に開示されている。特許文献１に開示の携帯端末機器は、ＵＳＢ端子と、電圧検出回路と、ＩＤ（ＩＤｅｎｔｉｔｙ）端子検出回路と、制御部とを備えている。携帯端末機器には、ＵＳＢケーブルによりＵＳＢインタフェースを備えた周辺機器（例えば、ＵＳＢマウス）を含む対向機器が接続される。ＵＳＢ端子は、規格に基づき、携帯端末機器に接続された対向機器から電力を受ける、あるいは対向機器に電力を供給するためのＶＢＵＳ端子と、対向機器がホスト機器かスレーブ機器かを識別するためのＵＳＢ＿ＩＤ端子を備えている。ここでは、ホスト機器は対向機器に給電する給電側の機器を示し、スレーブ機器は対向機器から受電する受電側の機器を示す。電圧検出回路は、対向機器からＶＢＵＳ端子を介して供給される電圧の有無を検出し、電圧が供給されているときにはＨｉｇｈレベルを出力し、電圧が供給されていないときにはＬｏｗレベルを出力する。ＩＤ端子検出回路は、対向機器からＵＳＢ＿ＩＤ端子に入力された信号のレベルを検出し、この信号がＨｉｇｈレベルのときには対向機器はホスト機器であると判定しＨｉｇｈレベルを出力する。また、この信号がＬｏｗレベルのときには対向機器はスレーブ機器であると判定しＬｏｗレベル出力する。制御部は、電圧検出回路とＩＤ端子検出回路の出力を検出し、これらの出力が共にＬｏｗレベルの場合、すなわち、対向機器から電力が供給されておらず、対向機器がスレーブ機器である場合、対向機器をＵＳＢマウスと判定する。そして、ＶＢＵＳ端子を介して５Ｖの電圧を対向機器に供給する。
【０００４】
ここで、携帯端末機器に、ＵＳＢケーブルによりＵＳＢインタフェースを備えた周辺機器（例えば、ＵＳＢマウス）を接続する。ＵＳＢマウスは、電力の供給機能を備えていない周辺機器である。したがって、携帯端末機器にＶＢＵＳ端子を介して電圧を供給していない。このため、電圧検出回路は、ＵＳＢマウスからＶＢＵＳ端子を介して電圧を供給されていないのでＬｏｗレベルを出力する。また、ＵＳＢマウスは対向機器から受電するスレーブ機器である。このため、ＩＤ端子検出回路は、ＵＳＢマウスからＵＳＢ＿ＩＤ端子を介してＬｏｗレベルの信号を受けるので、Ｌｏｗレベルを出力する。制御部は、電圧検出回路からＬｏｗレベル、また、ＩＤ端子検出回路からＬｏｗレベルの出力を受け、対向機器はＵＳＢマウスであると判定し、ＶＢＵＳ端子を介して５Ｖの電圧を対向機器に供給する。このように、携帯端末機器は、ＵＳＢケーブルにより接続したＵＳＢマウスに給電することができるので、周辺機器としてＵＳＢマウスを使用することができる。
【先行技術文献】
【特許文献】
【０００５】
【特許文献１】特開２０１０−９２０８号公報
【発明の概要】
【発明が解決しようとする課題】
【０００６】
上述した特許文献１に記載の携帯端末機器は、ＵＳＢケーブルによりＵＳＢインタフェースを備えた対向機器を接続した場合、電圧検出回路により、対向機器からＶＢＵＳ端子を介して供給される電圧の有無を検出し、Ｈｉｇｈレベル又はＬｏｗレベルを出力する。また、ＩＤ端子検出回路により、対向機器からＵＳＢ＿ＩＤ端子に入力された信号のレベルを検出し、Ｈｉｇｈレベル又はＬｏｗレベルを出力する。そして、制御部により、電圧検出回路とＩＤ端子検出回路とから共にＬｏｗレベルの出力があった場合、すなわち、対向機器はＵＳＢマウスであると判定し、ＶＢＵＳ端子を介して５Ｖの電圧を対向機器（ＵＳＢマウス）に供給している。
【０００７】
このように、特許文献１に記載の携帯端末機器は、対向機器からＶＢＵＳ端子を介して供給される電圧の有無、及び、対向機器からＵＳＢ＿ＩＤ端子に入力された信号のレベルに基づいて、対向機器がＵＳＢマウス（すなわち、給電機能を備えていないＵＳＢデバイス）であるか否かを判定し、ＵＳＢマウスの場合、ＶＢＵＳ端子を介してＵＳＢマウスに電力を供給するようしている。
【０００８】
しかし、特許文献１に記載の携帯端末機器は、ＵＳＢ端子の電圧や信号のレベルに基づいて判定したＵＳＢマウスに５Ｖの電圧を給電しているのみであり、給電電流の大きさについては言及されていない。このため、ＵＳＢマウスに対する給電電流は、通常小さなもの（例えば５００ｍＡ）であるので、仮に、特許文献１に記載の携帯端末機器は、ＵＳＢマウスに対してこの小さな給電電流で給電しているものと仮定する。すると、特許文献１に記載の携帯端末機器は、ＵＳＢマウスの給電電流よりも大きな給電電流で給電可能な対向機器に対して、ＵＳＢマウスの給電電流よりも大きな給電電流で給電できないという問題がある。
【０００９】
本発明の目的は、上記課題を解決して、対向機器に適合した給電電流で対向機器に給電できる携帯端末機器及び給電方法を提供することである。
【課題を解決するための手段】
【００１０】
本発明の携帯端末機器は、
対向機器とＵＳＢ（Ｕｎｉｖｅｒｓａｌ  Ｓｅｒｉａｌ  Ｂｕｓ）ケーブルを介して接続するＵＳＢコネクタと、前記対向機器と接続された前記ＵＳＢコネクタの電力の供給に関連する第１の信号に基づいて前記対向機器に給電機能がないと判断した場合、前記ＵＳＢケーブルの前記第１の信号の送信される信号線と異なる信号線を介して送信され、前記ＵＳＢコネクタの前記対向機器の識別に関連する第２の信号に基づいて前記対向機器がＵＳＢ通信機能を持つか否かを判断し、この判断結果に基づいて前記対向機器の種別を同定し、この同定した種別の前記対向機器に応じた上限値の給電電流によって前記対向機器に給電する制御部と、を備えている。
【００１１】
本発明の給電方法は、ＵＳＢケーブルにより対向機器と接続されたＵＳＢコネクタの電力の供給に関連する第１の信号に基づいて前記対向機器に給電機能がないと判断した場合、前記ＵＳＢケーブルの前記第１の信号の送信される信号線と異なる信号線を介して送信され、前記ＵＳＢコネクタの前記対向機器の識別に関連する第２の信号に基づいて前記対向機器がＵＳＢ通信機能を持つか否かを判断し、この判断結果に基づいて前記対向機器の種別を同定し、この同定した種別の前記対向機器に応じた上限値の給電電流によって前記対向機器に給電ようにしている。
【発明の効果】
【００１２】
本発明によれば、対向機器に適合した給電電流で対向機器に給電できる携帯端末機器及び給電方法を提供することができる。
【図面の簡単な説明】
【００１３】
【図１】本発明の第１の実施の形態に係る携帯端末機器の一例を示す図である。
【図２】本発明の第２の実施の形態に係る携帯端末機器の一例を示す図である。
【図３】本発明の第２の実施の形態の携帯端末機器の動作の一例を示すフローチャートである。
【図４】本発明の第３の実施の形態に係る携帯端末機器の一例を示す図である。
【図５】本発明の第３の実施の形態の携帯端末機器の動作の一例を示すフローチャートである。
【図６】本発明の第４の実施の形態に係る携帯端末機器の一例を示す図である。
【図７】本発明の第４の実施の形態の携帯端末機器の動作の一例を示す第１フローチャートである。
【図８】本発明の第４の実施の形態の携帯端末機器の動作の一例を示す第２フローチャートである。
【発明を実施するための形態】
【００１４】
次に、本発明の実施の形態について図面を参照して説明する。
（第１の実施の形態）
図１は、本発明の第１の実施の形態に係る携帯端末機器の一例を示す図である。
【００１５】
本実施の形態に係る携帯端末機器１は、ＵＳＢコネクタ３と、制御部２とにより構成される。
【００１６】
ＵＳＢコネクタ３は、対向機器とＵＳＢケーブルを介して接続する。制御部２は、対向機器と接続されたＵＳＢコネクタ３の電力の供給に関連する第１の信号に基づいて対向機器に給電機能があるか否かを調べる。そして、対向機器に給電機能がないと判断した場合、ＵＳＢコネクタ３の対向機器の識別に関連する第２の信号に基づいて対向機器がＵＳＢ通信機能を持つか否かを判断する。第１の信号と第２の信号は、ＵＳＢケーブルの別々の信号線を介して互いに独立して送信される信号である。そして、この判断結果に基づいて対向機器の種別を同定し、この同定した種別の対向機器に応じた上限値の給電電流によって対向機器に給電する。
【００１７】
ここで、本発明の第１の実施の形態に係る携帯端末機器の動作を説明する。
【００１８】
携帯端末機器１が、ＵＳＢコネクタ３に接続されたＵＳＢケーブルにより対向機器と接続される。すると、制御部２が、対向機器と接続されたＵＳＢコネクタ３の第１の信号を調べる。第１の信号とは、電力の供給に関連する信号であり、対向機器が電力の供給可能な機器の場合、例えば所定の電圧（例えば５Ｖ）である。すなわち、制御部２は、第１の信号がＨｉｇｈレベル（例えば５Ｖ）かＬｏｗレベル（例えば０Ｖ）かを調べ、調べた結果、第１の信号がＬｏｗレベルである場合、対向機器に給電機能がないと判断する。そして、制御部２は、ＵＳＢコネクタ３の第２の信号を調べる。第２の信号とは、対向機器の識別に関連する信号であり、対向機器がホスト機器の場合は、対向機器からＨｉｇｈレベル（例えば５Ｖ）で供給される。また、対向機器がスレーブ機器の場合は、対向機器からＬｏｗレベル（例えば０Ｖ）で供給される。すなわち、制御部２は、第２の信号がＨｉｇｈレベルかＬｏｗレベルかを調べることによって、対向機器がホスト機器かスレーブ機器かを調べる。調べた結果、第２の信号がＨｉｇｈレベルの場合、制御部２は、対向機器は、給電機能を持たずＵＳＢ通信機能を持たないホスト機器であると判断する。そして、例えば、ＵＳＢ  ＢＣ規格に従い、上限値を１５００ｍＡと定める。そして、制御部２は、Ｈｉｇｈレベル（例えば５Ｖ）の第２の信号を作成し、この作成した信号を、１５００ｍＡを上限値とした給電電流でＵＳＢコネクタ３に出力して対向機器に給電する。また、調べた結果、第２の信号がＬｏｗレベルの場合、制御部２は、対向機器は、給電機能を持たずＵＳＢ通信機能を持つスレーブ機器であると判断する。そして、例えば、ＵＳＢ２.０規格に従い上限値を５００ｍＡと定める。そして、制御部２は、Ｈｉｇｈレベル（例えば５Ｖ）の第２の信号を作成し、この作成した信号を、５００ｍＡを上限値とした給電電流でＵＳＢコネクタ３に出力して対向機器に給電する。
【００１９】
このように、本発明の第１の実施の形態によれば、制御部により、対向機器と接続されたＵＳＢコネクタの電力の供給に関連する第１の信号に基づいて対向機器に給電機能があるか否かを調べる。そして、対向機器に給電機能がないと判断した場合、ＵＳＢコネクタの対向機器の識別に関連する第２の信号に基づいて対向機器がＵＳＢ通信機能を持つか否かを判断する。そして、この判断結果に基づいて対向機器の種別を同定し、この同定した種別の対向機器に応じた上限値の給電電流によって対向機器に給電する。
【００２０】
このため、本発明の第１の実施の形態によれば、対向機器に適合した給電電流で対向機器に給電することができる。
（第２の実施の形態）
図２は、本発明の第２の実施の形態に係る携帯端末機器の一例を示す図である。
【００２１】
本第２の実施の形態は、第１の実施の形態の携帯端末機器の動作をより具体化したものである。したがって、主に第１の実施の形態と相違する部分について説明する。
【００２２】
本実施の形態に係る携帯端末機器１は、ＵＳＢコネクタ３と、制御部２とにより構成される。
【００２３】
ＵＳＢコネクタ３は、対向機器にＵＳＢケーブルを介して接続される。ＵＳＢコネクタ３は、ＵＳＢ２．０規格に基づき、ＶＢＵＳ端子、ＵＳＢ＿Ｄ−端子、ＵＳＢ＿Ｄ＋端子、及びＵＳＢ＿ＩＤ端子の各端子を有する。ＶＢＵＳ端子は、対向機器に電力を供給する、あるいは対向機器から電力の供給を受けるための信号（ＶＢＵＳ）を扱う端子である。ＵＳＢ＿Ｄ−端子及びＵＳＢ＿／Ｄ＋端子は、対向機器との間で通信を行うための信号（ＵＳＢ＿Ｄ−、ＵＳＢ＿／Ｄ＋）を扱う端子である。また、携帯端末機器１側で、ＵＳＢ＿Ｄ−信号とＵＳＢ＿Ｄ＋信号とがショートされていることを検出すると、ＵＳＢ  ＢＣ（ＵＳＢ  Ｂａｔｔｅｒｙ  Ｃｈａｒｇｉｎｇ  Ｓｐｅｃｉｆｉｃａｔｉｏｎ  Ｒｅｖｉｓｉｏｎ  １．２）規格に従い、携帯端末機器１は、対向機器を給電機器と判断する。また、携帯端末機器１側で、ＵＳＢ＿Ｄ−信号とＵＳＢ＿Ｄ＋信号とをショートすると、ＵＳＢ  ＢＣ規格に従い、対向機器は本携帯端末機器１を給電機器と判断する。ＵＳＢ＿ＩＤ端子は、対向機器がホスト機器かスレーブ機器かを識別するための信号（ＵＳＢ＿ＩＤ）を扱う端子である。そして、この信号（ＵＳＢ＿ＩＤ）は、対向機器に給電機能がなく、対向機器がＵＳＢ通信機能を持つ場合、対向機器からＬｏｗレベルとして供給される。また、対向機器に給電機能がなく、対向機器がＵＳＢ通信機能を持たない場合、対向機器からＨｉｇｈレベル（例えば５Ｖ）として供給される。
【００２４】
対向機器は、ＵＳＢインタフェースを有するＵＳＢ機器であり、一般的に次の（ａ）から（ｄ）の種別がある。（ａ）給電専用機器（例えば、ＡＣアダプタ：給電機能のみ有する）。（ｂ）パーソナルコンピュータ（ＰＣ）等のＵＳＢホスト機器（給電機能及びＵＳＢ通信機能を持つ）。（ｃ）ＵＳＢデバイス（例えば、ＵＳＢメモリ、ＵＳＢマウス等のＵＳＢ通信機能を持つスレーブ機器。給電機能はない。電池を有する場合は、充電対象となる。）。（ｄ）ＵＳＢ通信機能を持たないホスト機器（例えば、携帯電話、スマートフォン等。給電機能はない。電池を有する場合は、対象となる。）。
【００２５】
次に、本発明の第２の実施の形態に係る携帯端末機器１の動作を、図３を参照して詳細に説明する。
【００２６】
図３は、本発明の第２の実施の形態の携帯端末機器の動作の一例を示すフローチャートである。
【００２７】
携帯端末機器１は、電源として例えば充電可能な電池（不図示）を備えている。携帯端末機器１が、ＵＳＢコネクタ３に接続されたＵＳＢケーブルにより対向機器と接続される。
【００２８】
すると、図３のステップＳ１では、制御部２が、対向機器と接続されたＵＳＢコネクタ３の第１の信号を調べる。第１の信号とは、ＶＢＵＳ端子の信号（ＶＢＵＳ）であり、対向機器が電力の供給可能な機器の場合、このＶＢＵＳ端子を介して対向機器から所定の電圧（例えば５Ｖ）が供給される。すなわち、制御部２は、ＶＢＵＳがＨｉｇｈレベル（例えば５Ｖ）かＬｏｗレベル（例えば０Ｖ）かを調べ、対向機器から供給される電圧の有無を検出する。調べた結果、ＶＢＵＳがＨｉｇｈレベルである場合、対向機器に給電機能があると判断し、ステップＳ５へ進む。調べた結果、ＶＢＵＳがＬｏｗレベルである場合、対向機器に給電機能がないと判断し、ステップＳ２へ進む。
【００２９】
図３のステップＳ２では、制御部２は、ＵＳＢコネクタ３の第２の信号を調べる。第２の信号とは、ＵＳＢ＿ＩＤ端子の信号（ＵＳＢ＿ＩＤ）である。対向機器がホスト機器の場合は、対向機器からＵＳＢ＿ＩＤ端子にＨｉｇｈレベル（例えば５Ｖ）が供給される。また、対向機器がスレーブ機器の場合は、対向機器からＵＳＢ＿ＩＤ端子にＬｏｗレベル（例えば０Ｖ）が供給される。すなわち、制御部２は、ＵＳＢ＿ＩＤがＨｉｇｈレベルかＬｏｗレベルかを調べることによって、対向機器がホスト機器かスレーブ機器かを調べる。調べた結果、ＵＳＢ＿ＩＤ端子にＨｉｇｈレベルが供給されている場合、ステップＳ３へ進む。調べた結果、ＵＳＢ＿ＩＤ端子にＬｏｗレベルが供給されている場合、ステップＳ４へ進む。
【００３０】
図３のステップＳ３では、制御部２は、対向機器は、給電機能を持たずＵＳＢ通信機能を持たないホスト機器であり、例えば携帯電話、スマートフォン等である（種別（ｄ）の対向機器）と判断する。そして、例えば、上限値を１５００ｍＡと定める。このとき、制御部２は、ＵＳＢ＿Ｄ−信号とＵＳＢ＿Ｄ＋信号とショートさせる。このようにすると、対向機器は、ＵＳＢ  ＢＣ規格に従い、携帯端末機器１を給電機器と判断し、携帯端末機器１から最大１５００ｍＡの給電電流が供給されると想定する。そして、制御部２は、Ｈｉｇｈレベル（例えば５Ｖ）のＶＢＵＳ信号を作成し、この作成した信号を、１５００ｍＡを上限値とした給電電流でＵＳＢコネクタ３（ＶＢＵＳ端子）に出力して対向機器に給電し、終了する。
【００３１】
図３のステップＳ４では、制御部２は、対向機器は、給電機能を持たずＵＳＢ通信機能を持つスレーブ機器であり、例えばＵＳＢメモリ等のＵＳＢデバイスである（種別（ｃ）の対向機器）と判断し、例えば、ＵＳＢ２.０規格に従い上限値を５００ｍＡと定める。そして、Ｈｉｇｈレベル（例えば５Ｖ）のＶＢＵＳ信号を作成し、この作成した信号を、５００ｍＡを上限値とした給電電流でＵＳＢコネクタ３（ＶＢＵＳ端子）に出力して対向機器に給電し、終了する。
【００３２】
図３のステップＳ５では、制御部２は、対向機器は、給電機能を持つ対向機器（種別（ａ）又は（ｂ））であると判断し、対向機器からＶＢＵＳ端子に供給されたＨｉｇｈレベル（例えば５Ｖ）のＶＢＵＳ信号により、自身の携帯端末機器１の電源である電池（不図示）を充電し、終了する。
【００３３】
このように、本発明の第２の実施の形態によれば、制御部により、対向機器と接続されたＵＳＢコネクタの電力の供給に関連する第１の信号に基づいて対向機器に給電機能があるか否かを調べる。そして、対向機器に給電機能がないと判断した場合、ＵＳＢコネクタの対向機器の識別に関連する第２の信号に基づいて対向機器がＵＳＢ通信機能を持つか否かを判断する。そして、この判断結果に基づいて対向機器の種別を同定し、この同定した種別の対向機器に応じた上限値の給電電流によって対向機器に給電する。
【００３４】
このため、本発明の第２の実施の形態によれば、対向機器に適合した給電電流で対向機器に給電することができる。
（第３の実施の形態）
図４は、本発明の第３の実施の形態に係る携帯端末機器の一例を示す図である。
【００３５】
この図４は、図２で示した携帯端末機器１に電池を付加したものである。また、制御部２を具体化している。
【００３６】
本第３の実施の形態は、第２の実施の形態の携帯端末機器の動作をより具体化したものである。したがって、主に第２の実施の形態と相違する部分について説明する。
【００３７】
本実施の形態に係る携帯端末機器１は、ＵＳＢコネクタ３と、制御部２と、電池６とにより構成される。制御部２は、第１の制御部４と、第２の制御部５により構成される。
【００３８】
電池６は、充電可能であり、自身の携帯端末機器１の電源として稼働する。
【００３９】
第１の制御部４は、第１の信号が所定のＬｏｗレベルの場合、対向機器が電力の供給が可能又は不能な機器であることを示す供給可否通知信号を、対向機器が電力の供給が不能な機器であることを示すＬｏｗレベルとして出力し、この出力に対応して対向機器に対する給電を指示する給電指示信号と給電電流の上限値を受ける。そして、所定のＨｉｇｈレベルの第１の信号を作成し、この作成した第１の信号を上限値の給電電流でＵＳＢコネクタ３に出力して対向機器に給電する。
【００４０】
第２の制御部５は、Ｌｏｗレベルの供給可否通知信号を受けて対向機器に給電機能がないと判断し、第１の制御部４に給電指示信号を出力する。そして、第２の信号の状態に基づいて対向機器がＵＳＢ通信機能を持つか否かを判断し、この判断結果に基づいて給電電流の上限値を定める。そして、この定めた上限値を第１の制御部４に出力する。
【００４１】
次に、本発明の第３の実施の形態に係る携帯端末機器１の動作を、図５を参照して詳細に説明する。
【００４２】
図５は、本発明の第２の実施の形態の携帯端末機器の動作の一例を示すフローチャートである。
【００４３】
携帯端末機器１が、ＵＳＢコネクタ３に接続されたＵＳＢケーブルにより対向機器と接続される。
【００４４】
すると、図５のステップＳ１では、第１の制御部４が、対向機器と接続されたＵＳＢコネクタ３の第１の信号（ＶＢＵＳ）がＨｉｇｈレベル（例えば５Ｖ）かＬｏｗレベル（例えば０Ｖ）かを調べ、対向機器から供給される電圧の有無を検出する。調べた結果、ＶＢＵＳがＨｉｇｈレベルである場合、対向機器に給電機能があると判断し、ステップＳ８へ進む。調べた結果、ＶＢＵＳがＬｏｗレベルである場合、対向機器に給電機能がないと判断し、ステップＳ２へ進む。
【００４５】
図５のステップＳ２では、第１の制御部４は、Ｌｏｗレベルの供給可否通知信号を出力し、ステップＳ３へ進む。
【００４６】
図５のステップＳ３では、第２の制御部５は、Ｌｏｗレベルの供給可否通知信号を受け、対向機器に給電機能がないと判断し、第１の制御部４に給電指示信号を出力しステップＳ４へ進む。
【００４７】
図５のステップＳ４では、第２の制御部５は、第２の信号（ＵＳＢ＿ＩＤ）がＨｉｇｈレベルかＬｏｗレベルかを調べ、対向機器がホスト機器かスレーブ機器かを調べる。調べた結果、ＵＳＢ＿ＩＤ端子にＨｉｇｈレベルが供給されている場合、ステップＳ５へ進む。調べた結果、ＵＳＢ＿ＩＤ端子にＬｏｗレベルが供給されている場合、ステップＳ６へ進む。
【００４８】
図５のステップＳ５では、第２の制御部５は、対向機器は、給電機能を持たずＵＳＢ通信機能を持たないホスト機器であり、例えば携帯電話、スマートフォン等である（種別（ｄ）の対向機器）と判断し、例えば、上限値を１５００ｍＡと定める。そして、第２の制御部５は、ＵＳＢ＿Ｄ−信号とＵＳＢ＿Ｄ＋信号とをショートさせる。このようにすると、対向機器は、ＵＳＢ  ＢＣ規格に従い、携帯端末機器１を給電機器と判断し、携帯端末機器１から最大１５００ｍＡの給電電流が供給されると想定する。そして、第２の制御部５は、この上限値（１５００ｍＡ）を第１の制御部４に出力する。そして、ステップＳ７へ進む。
【００４９】
図５のステップＳ６では、第２の制御部５は、対向機器は、給電機能を持たずＵＳＢ通信機能を持つスレーブ機器であり、例えばＵＳＢメモリ等のＵＳＢデバイスである（種別（ｃ）の対向機器）と判断し、例えば、ＵＳＢ２.０規格に従い上限値を５００ｍＡと定める。そして、この上限値（５００ｍＡ）を第１の制御部４に出力し、ステップＳ７へ進む。
【００５０】
図５のステップＳ７では、第１の制御部４は、第２の制御部５がステップＳ３で出力した給電指示信号と、ステップＳ５又はステップＳ６で出力した上限値（１５００ｍＡ又は５００ｍＡ）を第２の制御部５から受け、Ｈｉｇｈレベル（例えば５Ｖ）のＶＢＵＳ信号を作成し、この作成した信号を、第２の制御部５から受けた上限値を上限とした給電電流でＵＳＢコネクタ３（ＶＢＵＳ端子）に出力して対向機器に給電する。
【００５１】
第１の制御部４は、対向機器に給電しているとき、給電電流を監視し、給電電流が所定時間、所定値より高い場合給電を停止する。ここで、所定時間は、例えば、３０秒である。また、所定値は、上限値の例えば９５％の値である。この所定時間及び所定値は、これらの値にこだわることなく、携帯端末機器により適宜変更して良い。また、第１の制御部４は、対向機器に給電しているとき、電池６の残量（例えば電池６の電圧）を監視し、電池６の残量が所定値より低くなった場合給電を停止する。この所定値は、例えば、満充電時の残量（例えば５Ｖ）の７０％の値である。この値にこだわることなく、携帯端末機器により適宜変更して良い。
【００５２】
図５のステップＳ８では、第１の制御部４は、対向機器は給電機能を持つ機器（種別（ａ）又は（ｂ））であると判断し、対向機器からＶＢＵＳ端子に供給されたＨｉｇｈレベル（例えば５Ｖ）のＶＢＵＳ信号により、自身の携帯端末機器１の電源である電池６を充電する。
【００５３】
このように、本発明の第３の実施の形態によれば、第２の制御部により、対向機器と接続されたＵＳＢコネクタの電力の供給に関連する第１の信号に基づいて対向機器に給電機能があるか否かを調べる。そして、対向機器に給電機能がないと判断した場合、ＵＳＢコネクタの対向機器の識別に関連する第２の信号に基づいて対向機器がＵＳＢ通信機能を持つか否かを判断する。そして、この判断結果に基づいて対向機器の種別を同定し、この同定した種別の対向機器に応じた給電電流の上限値を定める。そして、第１の制御部により、第２の制御部が定めた給電電流の上限値を上限とした給電電流によって対向機器に給電する。
【００５４】
このため、本発明の第３の実施の形態によれば、対向機器に適合した給電電流で対向機器に給電することができる。
（第４の実施の形態）
図６は、本発明の第４の実施の形態に係る携帯端末機器の一例を示す図である。
【００５５】
この図６は、図４で示した携帯端末機器１の第１の制御部４を具体化したものである。したがって、本第４の実施の形態は、第３の実施の形態の携帯端末機器１の動作をより具体化したものである。このため、主に第３の実施の形態と相違する部分について説明する。
【００５６】
本実施の形態に係る携帯端末機器１は、ＵＳＢコネクタ３と、第１の制御部４と、第２の制御部５と、電池６とにより構成される。第１の制御部４は、充電部７と、給電部８とにより構成される。図６には、ＵＳＢコネクタ３のＵＳＢ＿Ｄ−信号とＵＳＢ＿Ｄ+信号を第２の制御部５に接続するバススイッチ９と、充電部７から受けた電力に基づいて本携帯端末機器１全体に電力を供給する電源部１０も記載してある。
【００５７】
電池６は、充電部７に電圧ＶＢＡＴ（例えば、満充電時に５Ｖ。この値にこだわらず、携帯端末機器に応じて変更して良い。）の電力を供給する。そして、充電部７は、この供給された電力を携帯端末機器１の内部用のシステム電圧ＶＳＹＳ（例えば、２．５Ｖ。この値にこだわらず、携帯端末機器に応じて変更して良い。）に変えて給電部８と電源部１０に供給する。電源部１０はこのＶＳＹＳを本携帯端末機器１内部の各所で必要な電力にそれぞれ変換し、この電力を本携帯端末機器１全体へ供給する。
【００５８】
充電部７は、第１の信号（ＵＢＵＳ）を、ＵＳＢコネクタ３を介して受け、このＵＢＵＳ信号が所定のＬｏｗレベルの場合、供給可否通知信号をＬｏｗレベルにして第２の制御部５に出力する。また、このＵＢＵＳ信号が所定のＨｉｇｈレベルの場合、供給可否通知信号を、対向機器が電力の供給が可能な機器であることを示すＨｉｇｈレベルにして第２の制御部５に出力する。そして、第２の制御部５から、充電指示信号を受け、対向機器からＶＢＵＳ端子に供給されたＨｉｇｈレベル（例えば５Ｖ）のＶＢＵＳ信号により、電池６を充電する。
【００５９】
給電部８は、第２の制御部５から、充電部７が出力したＬｏｗレベルの供給可否通知信号に対応して給電を指示する給電指示信号と給電電流の上限値を受け、所定のＨｉｇｈレベルの第１の信号（ＵＢＵＳ）を作成する。そして、この作成した第１の信号（ＵＢＵＳ）を、上限値を上限とした給電電流でＵＳＢコネクタ３に出力して対向機器に給電する。
【００６０】
次に、本発明の第４の実施の形態に係る携帯端末機器１の動作を、図７及び図８を参照して詳細に説明する。
【００６１】
図７は、本発明の第４の実施の形態の携帯端末機器の動作の一例を示す第１フローチャートである。
【００６２】
図８は、本発明の第４の実施の形態の携帯端末機器の動作の一例を示す第２フローチャートである。
【００６３】
携帯端末機器１が、ＵＳＢコネクタ３に接続されたＵＳＢケーブルにより対向機器と接続される。
【００６４】
すると、図７のステップＳ１では、充電部７が、対向機器と接続されたＵＳＢコネクタ３の第１の信号（ＶＢＵＳ）がＨｉｇｈレベル（例えば５Ｖ）かＬｏｗレベル（例えば０Ｖ）かを調べ、対向機器から供給される電圧の有無を検出する。調べた結果、ＶＢＵＳがＨｉｇｈレベルである場合、図８のステップＳ１２へ進む。調べた結果、ＶＢＵＳがＬｏｗレベルである場合、ステップＳ２へ進む。
【００６５】
図７のステップＳ２では、充電部７は、対向機器に給電機能がないと判断（対向機器は種別（ｃ）又は（ｄ）の機器であると判断）し、Ｌｏｗレベルの供給可否通知信号を第２の制御部５に出力し、ステップＳ３へ進む。
【００６６】
図７のステップＳ３では、第２の制御部５は、Ｌｏｗレベルの供給可否通知信号を受け、対向機器に給電機能がないと判断し、第１の制御部４の給電部８に給電指示信号を出力しステップＳ４へ進む。
【００６７】
図７のステップＳ４では、第２の制御部５は、第２の信号（ＵＳＢ＿ＩＤ）がＨｉｇｈレベルかＬｏｗレベルかを調べ、対向機器がホスト機器かスレーブ機器かを調べる。調べた結果、ＵＳＢ＿ＩＤ端子にＨｉｇｈレベルが供給されている場合、ステップＳ５へ進む。調べた結果、ＵＳＢ＿ＩＤ端子にＬｏｗレベルが供給されている場合、ステップＳ６へ進む。
【００６８】
図７のステップＳ５では、第２の制御部５は、対向機器は、給電機能を持たずＵＳＢ通信機能を持たないホスト機器であり、例えば携帯電話、スマートフォン等である（種別（ｄ）の対向機器）と判断し、例えば、上限値を１５００ｍＡと定める。そして、第２の制御部５は、例えば、第１の制御部４のバススイッチ９にＵＳＢ＿Ｄ−信号とＵＳＢ＿Ｄ＋信号をショートさせる信号を送り、バススイッチ９にＵＳＢ＿Ｄ−信号とＵＳＢ＿Ｄ＋信号とをショートさせる。このようにすると、対向機器は、ＵＳＢ  ＢＣ規格に従い、携帯端末機器１を給電機器と判断し、携帯端末機器１から最大１５００ｍＡの給電電流が供給されると想定する。そして、第２の制御部５は、この上限値（１５００ｍＡ）を給電部８に出力する。そして、ステップＳ７へ進む。
【００６９】
図７のステップＳ６では、第２の制御部５は、対向機器は、給電機能を持たずＵＳＢ通信機能を持つスレーブ機器であり、例えばＵＳＢメモリ等のＵＳＢデバイスである（種別（ｃ）の対向機器）と判断し、例えば、ＵＳＢ２.０規格に従い上限値を５００ｍＡと定める。そして、第２の制御部５は、この上限値（５００ｍＡ）を給電部８に出力する。そして、ステップＳ７へ進む。
【００７０】
図７のステップＳ７では、給電部８は、第２の制御部５がステップＳ３で出力した給電指示信号と、ステップＳ５又はステップＳ６で出力した上限値（１５００ｍＡ又は５００ｍＡ）を第２の制御部５から受ける。そして、給電部８は、充電部７が受けた電池６の電圧（ＶＢＡＴ）に基づいて作成したシステム電圧（ＶＳＹＳ）を、例えば昇圧電源（不図示）により昇圧して、所定のＨｉｇｈレベル（例えば５Ｖ）のＶＢＵＳ信号を作成する。そして、この作成した信号を、第２の制御部５から受けた上限値を上限とした給電電流でＵＳＢコネクタ３（ＶＢＵＳ端子）に出力して対向機器に給電する。
【００７１】
図７のステップＳ８では、給電部８は、対向機器に給電しているとき、給電電流を監視し、給電電流が所定時間、所定値より高いか否かを調べる。調べた結果、所定時間、所定値より高くない場合、ステップＳ９へ進む。調べた結果、所定時間、所定値より高い場合、異常と判断し、ステップＳ１１へ進む。
【００７２】
ここで、給電電流が所定時間、所定値より高いか否かは、例えば次のように調べる。すなわち、給電電流を流す経路に、例えば、電流制限機能を有するパワースイッチ（不図示）を設ける。そして、このパワースイッチにより、対向機器の給電中に給電電流を監視し、給電電流が所定値よりも多い期間の間例えば給電電流オーバー信号（Ｈｉｇｈレベルの信号）を出力し、タイマ（不図示）にこの期間を測定させる。そして、この期間が所定時間より多くなった場合、パワースイッチを遮断し、対向機器への給電を停止する。このことにより、給電電流が、充電部７や昇圧電源の最大出力電流値を超えないようにすることができ、充電部７や昇圧電源を保護することができる。ここで、所定時間は、例えば、３０秒である。また、所定値は、上限値の例えば９５％の値である。この所定時間及び所定値は、これらの値にこだわることなく、携帯端末機器により適宜変更して良い。
【００７３】
図７のステップＳ９では、給電部８は、対向機器に給電しているとき、電池残量（電池６の電圧（ＶＢＡＴ）が所定値より低いか否かを調べる。調べた結果、所定時間より低くない場合、ステップＳ１０へ進む。調べた結果、所定値より低い場合、異常と判断し、ステップＳ１１へ進む。この所定値は、例えば、満充電時の残量（例えば５Ｖ）の７０％の値である。この値にこだわることなく、携帯端末機器により適宜変更して良い。
【００７４】
図７のステップＳ１０では、給電部８は、対向機器に給電しているとき、給電電流を測定し、給電電流が所定の値（例えば“０．１Ｖ“）以下になったか否かを調べる。調べた結果、所定の値以下でない場合、ステップＳ８へ進む。調べた結果、所定の値以下になった場合、ＵＳＢケーブルがＵＳＢコネクタ３から抜かれたと判断し、終了する。給電電流の測定は、ステップＳ８で使用したパワースイッチ（不図示）により行っても良いし、あるいは、給電電流を流す経路に、他の電流検出回路を設け、この回路により測定しても良い。所定の値、“０．１Ｖ“は、この値にこだわることなく、携帯端末機器により適宜変更して良い。
【００７５】
図７のステップＳ１１では、給電部８は、給電電流を流す経路を遮断して給電を停止し、昇圧電源（不図示）にシステム電圧（ＶＳＹＳ）の昇圧を停止させ、アラームを表示部（不図示）に表示し、終了する。給電電流を流す経路の遮断は、ステップＳ８で使用したパワースイッチ（不図示）により行っても良いし、あるいは、給電電流を流す経路に、例えばＦＥＴ（Ｆｉｅｌｄ  Ｅｆｆｅｃｔ  Ｔｒａｎｓｉｓｔｏｒ）を設け、このＦＥＴにより遮断しても良い。
【００７６】
図８のステップＳ１２では、充電部７は、対向機器に給電機能があると判断（対向機器は種別（ａ）又は（ｂ）の機器あると判断）し、Ｈｉｇｈレベルの供給可否通知信号を第２の制御部５に出力し、ステップＳ１３へ進む。
【００７７】
図８のステップＳ１３では、第２の制御部５は、Ｈｉｇｈレベルの供給可否通知信号を受け、対向機器は給電機能を有すると判断し、第１の制御部４のバススイッチ９を介して送られるＵＳＢコネクタ３のＵＳＢ＿Ｄ−信号とＵＳＢ＿Ｄ＋信号がショートしているか否かを調べる。調べた結果、ＵＳＢ＿Ｄ−信号とＵＳＢ＿Ｄ＋信号がショートしている場合、ステップＳ１４へ進む。調べた結果、ＵＳＢ＿Ｄ−信号とＵＳＢ＿Ｄ＋信号がショートしていない場合、ステップＳ１５へ進む。
【００７８】
図８のステップＳ１４では、第２の制御部５は、対向機器は、給電機能のみ有する給電専用機器であり、例えば、ＡＣアダプタである（種別（ａ）の対向機器である）と判断し、第１の制御部４の充電部７に充電指示信号を出力し、ステップＳ１６へ進む。
【００７９】
図８のステップＳ１５では、第２の制御部５は、対向機器は、給電機能及びＵＳＢ通信機能を持つＰＣ等のＵＳＢホスト機器（種別（ｂ）の対向機器）であると判断し、第１の制御部４の充電部７に充電指示信号を出力し、ステップＳ１６へ進む。
【００８０】
図８のステップＳ１６では、第１の制御部４の充電部７は充電指示信号を受け、対向機器からＶＢＵＳ端子に供給されたＨｉｇｈレベルのＶＢＵＳ信号により、電池６を充電する。このとき、ステップＳ１４で第２の制御部５が、対向機器をＡＣアダプタである（種別（ａ）の対向機器）と判断した場合には、ＵＳＢ  ＢＣ規格に従い、対向機器から最大１５００ｍＡの給電電流が供給されると想定される。また、ステップＳ１５で第２の制御部５が、対向機器をＰＣ等のＵＳＢホスト機器（種別（ｂ）の対向機器）と判断した場合には、ＵＳＢ２．０規格に従い、対向機器から最大５００ｍＡの給電電流が供給されると想定される。
【００８１】
図８のステップＳ１７では、充電部７は、対向機器から給電され、電池６を充電しているとき、ＵＳＢコネクタ３の第１の信号（ＵＢＵＳ）を監視し、このＵＢＵＳが所定の値（例えば“０．１Ｖ“）以下になったか否かを調べる。調べた結果、所定の値以下でない場合、充電を続ける。調べた結果、所定の値以下になった場合、ＵＳＢケーブルがＵＳＢコネクタ３から抜かれたと判断し、充電を終了する。所定の値、“０．１Ｖ“は、この値にこだわることなく、携帯端末機器１により適宜変更して良い。
【００８２】
このように、本発明の第４の実施の形態によれば、第２の制御部により、対向機器と接続されたＵＳＢコネクタの電力の供給に関連する第１の信号に基づいて対向機器に給電機能があるか否かを調べる。そして、対向機器に給電機能がないと判断した場合、ＵＳＢコネクタの対向機器の識別に関連する第２の信号に基づいて対向機器がＵＳＢ通信機能を持つか否かを判断する。そして、この判断結果に基づいて対向機器の種別を同定し、この同定した種別の対向機器に応じた給電電流の上限値を定める。そして、第１の制御部により、第２の制御部が定めた給電電流の上限値を上限とした給電電流によって対向機器に給電する。
【００８３】
このため、本発明の第４の実施の形態によれば、対向機器に適合した給電電流で対向機器に給電することができる。
【００８４】
上記の実施形態の一部または全部は、以下の付記のように記載され得るが、以下には限られない。
（付記１）
対向機器とＵＳＢ（Ｕｎｉｖｅｒｓａｌ  Ｓｅｒｉａｌ  Ｂｕｓ）ケーブルを介して接続するＵＳＢコネクタと、
前記対向機器と接続された前記ＵＳＢコネクタの電力の供給に関連する第１の信号に基づいて前記対向機器に給電機能がないと判断した場合、前記ＵＳＢケーブルの前記第１の信号の送信される信号線と異なる信号線を介して送信され、前記ＵＳＢコネクタの前記対向機器の識別に関連する第２の信号に基づいて前記対向機器がＵＳＢ通信機能を持つか否かを判断し、この判断結果に基づいて前記対向機器の種別を同定し、この同定した種別の前記対向機器に応じた上限値の給電電流によって前記対向機器に給電する制御部と、
を備えたことを特徴とする携帯端末機器。
（付記２）
前記制御部は、
前記第１の信号が所定のＬｏｗレベルの場合、対向機器が電力の供給が可能又は不能な機器であることを示す供給可否通知信号を、対向機器が電力の供給が不能な機器であることを示すＬｏｗレベルにして出力し、この出力に対応して給電を指示する給電指示信号と給電電流の前記上限値を受け、所定のＨｉｇｈレベルの前記第１の信号を作成し、この作成した前記第１の信号を前記上限値の給電電流で前記ＵＳＢコネクタに出力して前記対向機器に給電する第１の制御部と、
Ｌｏｗレベルの前記供給可否通知信号を受けて前記対向機器に給電機能がないと判断し、前記第１の制御部に前記給電指示信号を出力するとともに、前記第２の信号の状態に基づいて前記対向機器がＵＳＢ通信機能を持つか否かを判断し、この判断結果に基づいて給電電流の前記上限値を定めこの定めた前記上限値を前記第１の制御部に出力する第２の制御部と、
を備えたことを特徴とする付記１記載の携帯端末機器。
（付記３）
前記第１の制御部は、前記対向機器に給電しているとき、給電電流が所定時間、所定値より高い場合給電を停止する、ことを特徴とする付記２記載の携帯端末機器。
（付記４）
自身の携帯端末機器の電源である電池を更に有し、
前記第１の制御部は、前記対向機器に給電しているとき、前記電池の残量が所定値より低くなった場合給電を停止する、ことを特徴とする付記２又は３記載の携帯端末機器。
（付記５）
前記第１の制御部は、前記第１の信号を、前記ＵＳＢコネクタを介して受け、この第１の信号が所定のＬｏｗレベルの場合、前記供給可否通知信号をＬｏｗレベルにして前記第２の制御部に出力し、この第１の信号が所定のＨｉｇｈレベルの場合、前記供給可否通知信号を、対向機器が電力の供給が可能な機器であることを示すＨｉｇｈレベルにして前記第２の制御部に出力し、前記第２の制御部から、充電指示信号を受け、対向機器からＶＢＵＳ端子に供給されたＨｉｇｈレベルのＶＢＵＳ信号により、前記電池を充電する充電部と、
前記第２の制御部から、充電部が出力したＬｏｗレベルの前記供給可否通知信号に対応して給電を指示する給電指示信号と給電電流の前記上限値を受け、所定のＨｉｇｈレベルの前記第１の信号を作成し、この作成した前記第１の信号を前記上限値の給電電流で前記ＵＳＢコネクタに出力して前記対向機器に給電する給電部と、
を備えたことを特徴とする付記４記載の携帯端末機器。
（付記６）
前記給電部は、前記充電部が受けた前記電池電圧（ＶＢＡＴ）に基づいて作成したシステム電圧（ＶＳＹＳ）を昇圧して、所定のＨｉｇｈレベルの前記第１の信号を作成する、ことを特徴とする付記５記載の携帯端末機器。
（付記７）
前記給電部は、前記対向機器に給電しているとき、給電電流が所定時間、所定値より高い場合給電を停止する、ことを特徴とする付記５又は６記載の携帯端末機器。
（付記８）
前記給電部は、前記対向機器に給電しているとき、前記電池残量が所定値より低くなった場合給電を停止する、ことを特徴とする付記５、６又は７記載の携帯端末機器。
（付記９）
前記第２の制御部は、前記第２の信号が所定のＬｏｗレベルの場合、５００ｍＡを給電電流の前記上限値と定め、前記第２の信号が所定のＨｉｇｈレベルの場合、１５００ｍＡを給電電流の前記上限値と定める、ことを特徴とする付記２から８のいずれか一項に記載の携帯端末機器。
（付記１０）
前記第１の信号は、対向機器に電力を供給する、あるいは対向機器から電力の供給を受けるためのＵＳＢ２．０規格に基づくＶＢＵＳ端子の信号（ＶＢＵＳ）であり、前記第２の信号は、対向機器がホスト機器かスレーブ機器かを識別するためのＵＳＢ２．０規格に基づくＵＳＢ＿ＩＤ端子の信号（ＵＳＢ＿ＩＤ）である、ことを特徴とする付記１から９のいずれか一項に記載の携帯端末機器。
（付記１１）
対向機器と接続されたＵＳＢコネクタの電力の供給に関連する第１の信号に基づいて前記対向機器に給電機能がないと判断した場合、前記ＵＳＢケーブルの前記第１の信号の送信される信号線と異なる信号線を介して送信され、前記ＵＳＢコネクタの前記対向機器の識別に関連する第２の信号に基づいて前記対向機器がＵＳＢ通信機能を持つか否かを判断し、
この判断結果に基づいて前記対向機器の種別を同定し、
この同定した種別の前記対向機器に応じた上限値の給電電流によって前記対向機器に給電する、ことを特徴とする給電方法。
（付記１２）
前記第１の信号が所定のＬｏｗレベルの場合、対向機器が電力の供給が可能又は不能な機器であることを示す供給可否通知信号を、対向機器が電力の供給が不能な機器であることを示すＬｏｗレベルにして出力し、
このＬｏｗレベルの前記供給可否通知信号の出力に応じて給電を指示する給電指示信号を出力するとともに、前記第２の信号の状態に基づいて前記対向機器がＵＳＢ通信機能を持つか否かを判断し、
この判断結果に基づいて給電電流の前記上限値を定めこの定めた前記上限値を出力し、
この出力された前記給電指示信号と前記上限値を受け、所定のＨｉｇｈレベルの前記第１の信号を作成し、この作成した前記第１の信号を前記上限値の給電電流で前記ＵＳＢコネクタに出力して前記対向機器に給電する、ことを特徴とする付記１１記載の給電方法。
（付記１３）
前記対向機器に給電しているとき、給電電流が所定時間、所定値より高い場合給電を停止する、ことを特徴とする付記１２記載の給電方法。
（付記１４）
前記第２の信号が所定のＬｏｗレベルの場合、５００ｍＡを給電電流の前記上限値と定め、前記第２の信号が所定のＨｉｇｈレベルの場合、１５００ｍＡを給電電流の前記上限値と定める、ことを特徴とする付記１２又は１３記載の給電方法。
（付記１５）
前記第１の信号は、対向機器に電力を供給する、あるいは対向機器から電力の供給を受けるためのＵＳＢ２．０規格に基づくＶＢＵＳ端子の信号（ＶＢＵＳ）であり、前記第２の信号は、対向機器がホスト機器かスレーブ機器かを識別するためのＵＳＢ２．０規格に基づくＵＳＢ＿ＩＤ端子の信号（ＵＳＢ＿ＩＤ）である、ことを特徴とする付記１１から１４のいずれか一項に記載の給電方法。
【符号の説明】
【００８５】
１  携帯端末機器
２  制御部
３  ＵＳＢコネクタ
４  第１の制御部
５  第２の制御部
６  電池
７  充電部
８  給電部
９  バススイッチ
１０  電源部
【図１】
2014102693.tif 000003
【図２】
2014102693.tif 000004
【図３】
2014102693.tif 000005
【図４】
2014102693.tif 000006
【図５】
2014102693.tif 000007
【図６】
2014102693.tif 000008
【図７】
2014102693.tif 000009
【図８】
2014102693.tif 000010